(57)【要約】【課題】  一個の錠で安全性の高いマスターキーシステムを確立する。【解決手段】  複数のディスクタンブラー６Ａ、６Ｂ、６Ｃの上端、下端を進出可能にさせる溝７を形成した外筒２と、外筒２へ回動自在に挿入され、内部の上下開口した中空部９内にディスクタンブラー６Ａ、６Ｂ、６Ｃが列設して収納される内筒３を備える。各ディスクタンブラーは、中央に穿孔された鍵穴１４の開口一側縁部に、目的に応じて親鍵Ｑ１、子鍵Ｑ２のいずれかを選択してその選択された鍵の一側方の探り溝１３、２３が係合する突起部１７を設け、これに対向して鍵穴１４の開口他側縁部に、当該鍵の他側方の探り溝１３、２３が係合する段差部１８を設け、これら突起部、段差部それぞれを互いに上下位置にずらした状態で二枚一組が摺動自在に密接され且つ互いが上下方向へ反発するようにスプリング１２により付勢されて成る。【選択図】          図２
2006112036.tif 000002
【特許請求の範囲】
【請求項１】
開閉扉の所定の錠前設置位置に取り付けられ、複数のディスクタンブラーの上端、下端を進出可能にさせる溝を形成した外筒と、外筒へ回動自在に挿入され、内部に形成されている上下開口した中空部内に複数のディスクタンブラーが列設した状態で収納されている内筒とを備えたディスクタンブラー錠であって、各ディスクタンブラーは、中央に穿孔された鍵穴の開口一側縁部に、目的に応じて親鍵、子鍵のいずれかを選択してその選択された鍵の一側方の探り溝が係合する突起部を設け、これに対向して鍵穴の開口他側縁部に、当該鍵の他側方の探り溝が係合する段差部を設けると共に、これら突起部、段差部それぞれを互いに上下位置にずらした状態で二枚が一組となって互いに摺動自在に密接され、且つ互いが上下方向へ反発するように斜めに介装されたスプリングにより付勢されて成り、一方のディスクタンブラーの上端、他方のディスクタンブラーの下端が外筒の溝に別々に進出して内筒の回転を阻止することを特徴としたディスクタンブラー錠。
【発明の詳細な説明】
【技術分野】
【０００１】
本発明は、内筒着脱式シリンダー錠を採用し、キー紛失および利用者変更の場合も容易に交換可能としたスライド式、スイング式、カムロック式等のディスクタンブラー錠に関する。
【背景技術】
【０００２】
従来から、施錠時に、コイルスプリングの弾撥力でディスクタンブラーを内筒から外筒の溝に突出させ内筒が廻らないように構成し、開錠時には、鍵の差し込みによりディスクタンブラーを内筒側に移動させて外筒の溝から退避させ、開錠可能となるようにしたディスクタンブラー錠が周知の技術として存在する。
【０００３】
例えば、特許文献１に示したように、内周面軸方向にロック用係合溝を有する外筒と、その内部に回動自在に配設され、かつ内部のキー差込孔に、キー側面の溝部に係合するキーガイドを有すると共に、キー差込孔に直交して両端部が外周面に貫通する複数のタンブラー挿入孔を軸方向に間隔を置いて有する内筒と、前記各タンブラー挿入孔に摺動自在に、かつコイルバネにより一方向へ付勢されて前記ロック用係合溝に係脱自在に配設され、略中央部位にキー挿入孔と、その内面に、前記キーの溝部における異なった形状を具有する突部と凹部とによって操作される、係合凸部をキー挿入孔の一側に設けた複数枚のタンブラーとを具備してなるシリンダ錠であって、前記内筒の各タンブラー挿入孔に、タンブラーを二枚づつ重合状態にて各配置し、この二枚一組のタンブラーの側面と、各タンブラー挿入孔の左右両側とにバネ受けを各形成すると共に、前記タンブラー一枚分の板厚と略同寸法径のコイルバネを、前記両バネ受け間に介挿して配設したシリンダ錠が知られている。
【０００４】
また、特許文献２に示したように、筒状のケースを外筒に外嵌し、外筒前端部とケースとの間にマスター筒を嵌挿してマスター筒外周をケース内周に固定し、外筒前端部外周はマスター筒内周に対し、外筒後端部外周はケース内周に対し、夫々回動可能とし、前端部のタンブラーはマスターキーのみが係合可能なマスタータンブラーであって複数個配設し、マスター筒に軸心方向に穿設したロックピン用孔に挿入したロックピンを介して軸心方向に付勢し、後端部のタンブラーはチェンジキーのみが係合可能なタンブラーであって複数個配設したマスター装置付きディスクタンブラー錠も知られている。
【特許文献１】特開平７−３４１７７号公報
【特許文献２】実開平６−２０８１２号公報
【発明の開示】
【発明が解決しようとする課題】
【０００５】
しかしながら、従来における前記文献１に示されるディスクタンブラー錠は、二枚一組のタンブラーのいずれもが、キー挿入孔の一側に、キー片側の溝部に対向して設けた突部と凹部とによって操作される係合凸部が設けられているに過ぎないため、鍵変換数に自ずと限界があり、マスターキーシステムを効果的に組み込むのに十分な鍵違いが得られないものであった。
【０００６】
一方、従来における前記文献２に示されるマスター装置付きディスクタンブラー錠は、マスターキーのみが係合可能なマスタータンブラーを、チェンジキーのみが係合可能なタンブラーと別個に設けると共に、マスタータンブラーを嵌挿するマスター筒およびロックピン等の部材を設けて成るものであるから、鍵全体が複雑なものとなってしまい、製造コストもアップする問題があった。
【０００７】
そこで、本発明は、前記した従来の技術が有する問題点に鑑みなされたもので、一個の鍵でマスターキーシステムを効果的に組み込むのに十分な鍵違いが得られると共に、鍵全体がシンプルで、製造コストも廉価なディスクタンブラー錠を提供することを目的とする。
【課題を解決するための手段】
【０００８】
上述した課題を解決するため、本発明にあっては、開閉扉の所定の錠前設置位置に取り付けられ、複数のディスクタンブラーの上端、下端を進出可能にさせる溝を形成した外筒と、外筒へ回動自在に挿入され、内部に形成されている上下開口した中空部内に複数のディスクタンブラーが列設した状態で収納されている内筒とを備えたディスクタンブラー錠であって、各ディスクタンブラーは、中央に穿孔された鍵穴の開口一側縁部に、目的に応じて親鍵、子鍵のいずれかを選択してその選択された鍵の一側方の探り溝が係合する突起部を設け、これに対向して鍵穴の開口他側縁部に、当該鍵の他側方の探り溝が係合する段差部を設けると共に、これら突起部、段差部それぞれを互いに上下位置にずらした状態で二枚が一組となって互いに摺動自在に密接され、且つ互いが上下方向へ反発するように斜めに介装されたスプリングにより付勢されて成り、一方のディスクタンブラーの上端、他方のディスクタンブラーの下端が外筒の溝に別々に進出して内筒の回転を阻止するものとしてある。
【０００９】
以上のように構成された本発明に係るディスクタンブラー錠にあって、鍵穴へ親鍵もしくは子鍵を差し込むと、鍵穴に差し込まれた親鍵もしくは子鍵両側に設けられた探り溝と、鍵穴の両側に設けられた突起部、段差部それぞれとの係合に応じて内筒の中空部内にコイルスプリングの弾発力に抗して各ディスクタンブラーの各組二枚を別々に収納退避させて内筒側の各ディスクタンブラーと外筒の溝との係合を解除させ、外筒に対する内筒の回転が可能となって解錠もしくは施錠が行われる。
【００１０】
一方、回転レバーによる施錠後において、鍵穴から引き抜かれた親鍵もしくは子鍵両側に設けられた探り溝と、鍵穴の両側に設けられた突起部、段差部それぞれとの係合解除に応じて内筒の中空部内から外筒の溝内へ、付勢力に任せて各ディスクタンブラーの各組二枚が別々に進出して内筒側の各ディスクタンブラーと外筒の溝とが係合し、外筒に対する内筒の回転を阻止させて解錠不能の状態にさせる。
【発明の効果】
【００１１】
以上のように、本発明にあっては、それぞれのディスクタンブラーは、中央に穿孔された鍵穴の開口一側縁部に、目的に応じて親鍵、子鍵のいずれかを選択してその選択された鍵の一側方の探り溝が係合する突起部を設け、これに対向して鍵穴の開口他側縁部に、当該鍵の他側方の探り溝が係合する段差部を設けると共に、これら突起部、段差部それぞれを互いに上下位置にずらして形成して成る複数のディスクタンブラーを備えたので、従来のディスクタンブラー錠と比べて鍵違いを格段に多くすることができる。したがって、別個にマスター装置を設けることなく、シンプルな構成で、製造コストも廉価なうえに、安全性の高いマスターシステムを形成することができる。
【発明を実施するための最良の形態】
【００１２】
以下、図面を参照して本発明を実施するための最良の一形態を説明すると、図において示される符号１は、例えば鍵の紛失あるいは利用者の変更等の場合に容易に交換可能とすべく内筒着脱式シリンダー状を採用したカムロック式のディスクタンブラー錠である。尚、ディスクタンブラー錠をスライドレバー式、スイングレバー式等の施解錠構造としても良い。
【００１３】
このディスクタンブラー錠１は、図１乃至図６に示すように、開閉扉Ｐの所定の錠前設置位置に、複数爪状のプッシュストッパー４を備えた取付枠部材５によって取り付けられ、上下内壁に複数のディスクタンブラー６Ａ、６Ｂ、６Ｃ…の上端、下端を進出可能にさせる溝７を形成した外筒２と、施錠のための回転角度範囲９０°の回転レバー８を一端に備えて外筒２へ回動自在に挿入され、内部に形成されている上下開口した中空部９内に複数のディスクタンブラー６Ａ、６Ｂ、６Ｃ…が列設した状態で収納されている内筒３とを備えている。尚、図２において、２１はナット、２２は取付けネジをそれぞれ示す。
【００１４】
図２乃至図６に示すように、各ディスクタンブラー６Ａ、６Ｂ、６Ｃ…は、この二枚一組が互いに摺動自在に密接され、一側方の凸部１１Ａの下部、他側方の凸部１１Ｂの上部相互間にコイルスプリング１２が斜めに介装されて互いに上下へ反発することにより、一方のディスクタンブラー６Ａの上端、他方のディスクタンブラー６Ｂの下端が外筒２の溝７に別々に進出して内筒３が廻らないようにしてある。
【００１５】
ディスクタンブラー６Ａ、６Ｂ、６Ｃ…は、その中央に親鍵Ｑ１または子鍵Ｑ２が挿入される鍵穴１４が各穿孔されて、親鍵Ｑ１または子鍵Ｑ２のいずれかを差し込むことで内筒３に対しディスクタンブラー６Ａ、６Ｂ、６Ｃ…の各組二枚がそれぞれ別々に移動できるものとし、また一側方にはコイルスプリング１２を掛止する角形の凸部１１Ａ、１１Ｂが各設けられ、他側方には当該各ディスクタンブラー６Ａ、６Ｂ、６Ｃ…自体の脱落を未然に防止するための係止ロッド１５を嵌着可能とする係合切欠部１６が各設けてある。
【００１６】
ディスクタンブラー６Ａ、６Ｂ、６Ｃ…の鍵穴１４の具体的な構成としては、図４に示すように、ディスクタンブラー６Ａ、６Ｂ、６Ｃ…中央の鍵穴１４の開口一側縁部に、親鍵Ｑ１もしくは子鍵Ｑ２の一側方の探り溝１３が係合する突起部１７を設け、これに対向して鍵穴１４の開口他側縁部に、親鍵Ｑ１もしくは子鍵Ｑ２の他側方の探り溝２３が係合する段差部１８を設けてある。そして、図４（ａ）（ｃ）（ｅ）それぞれに示すディスクタンブラーに対し、図４（ｂ）（ｄ）（ｆ）それぞれに示すディスクタンブラー６Ａ、６Ｂ、６Ｃ…を上下逆さまにしてから、互いに密接して中空部９内に配置され、一方のディスクタンブラー６Ａの上端、他方のディスクタンブラー６Ｂの下端それぞれが内筒３の各上下開口から突出したり当該開口から中空部９側へ退避できるようにしてある。
【００１７】
そして、図５、図６に示すように、これら突起部１７、段差部１８それぞれを互いに上下位置にずらして形成したディスクタンブラー６Ａ、６Ｂ、６Ｃ…を複数枚、例えば二枚五組を使用することで、鍵穴１４に差し込まれた親鍵Ｑ１もしくは子鍵Ｑ２両側の探り溝１３、２３と、鍵穴１４両側の突起部１７、段差部１８それぞれとの係合に応じて内筒３の中空部９内にコイルスプリング１２の弾発力に抗して各ディスクタンブラー６Ａ、６Ｂ、６Ｃ…の各組二枚を別々に収納退避させて内筒３側の各ディスクタンブラー６Ａ、６Ｂ、６Ｃ…と外筒２の溝７との係合を解除させ、外筒２に対して内筒３および回転レバー８が９０°角度範囲内で自由に回転できるようにしてある。
【００１８】
一方、鍵穴１４から引き抜かれた親鍵Ｑ１もしくは子鍵Ｑ２両側の探り溝１３、２３と、鍵穴１４両側の突起部１７、段差部１８それぞれとの係合解除に応じて内筒３の中空部９内から外筒２の溝７内へ、コイルスプリング１２の弾発力に任せて各ディスクタンブラー６Ａ、６Ｂ、６Ｃ…の各組二枚を別々に進出させて内筒３側の各ディスクタンブラー６Ａ、６Ｂ、６Ｃ…と外筒２の溝７とを係合させ、外筒２に対して内筒３および回転レバー８が廻らないようにしてある。
【００１９】
こうして鍵穴１４への親鍵Ｑ１もしくは子鍵Ｑ２の差し込みによって、外筒２に対して内筒３および回転レバー８が回転可能となって解錠が行われ、回転レバー８による施錠後には鍵穴１４からの親鍵Ｑ１もしくは子鍵Ｑ２の引き抜きが可能となるようにしてある。
【００２０】
親鍵Ｑ１の探り溝１３は、図７に示したように、帯板の一側面に上下両側に、各ディスクタンブラー６Ａ、６Ｂ、６Ｃ…の鍵穴１４の開口一側縁部に設けた段差部１８に係合するよう形成されており、他側面の中央に、各ディスクタンブラー６Ａ、６Ｂ、６Ｃ…の鍵穴１４の開口他側縁部に設けた突起部１７に係合するよう形成されている。
【００２１】
帯板の一側面上下両側に形成された探り溝１３は、底部それぞれに凹凸刻み１３ｂ、１３ｂを備えた切欠き１３ａ、１３ａをもって形成されており、帯板の他側面中央に形成された探り溝１３は、広間隔の突壁１３ｄ、１３ｄを対設した凹溝１３ｃをもって形成されている。
【００２２】
一方、子鍵Ｑ２の探り溝２３は、図８に示したように、帯板の一側面中央に、各ディスクタンブラー６Ａ、６Ｂ、６Ｃ…の各鍵穴１４の開口一側縁部に設けた突起部１７に係合するよう形成されており、他側面の上下両側に、各ディスクタンブラー６Ａ、６Ｂ、６Ｃ…の各鍵穴１４の開口他側縁部に設けた段差部１８に係合するよう形成されている。
【００２３】
帯板の一側面中央に形成された探り溝２３は、狭間隔の凹凸刻み２３ｂ、２３ｂを対設した凹溝２３ａをもって形成されており、帯板の他側面上下両側に形成された探り溝２３は、底部それぞれに平滑面２３ｄ、２３ｄを備えた切欠き２３ｃ、２３ｃをもって形成されている。
【００２４】
尚、親鍵Ｑ１の探り溝１３と、子鍵Ｑ２の探り溝２３それぞれの形状を互いに反対にして形成しても良い。また、内筒３の前端部に形成した拡径部３Ａの中央に穿孔した内筒側鍵穴３Ｂの開口縁部には、親鍵Ｑ１もしくは子鍵Ｑ２を左右逆向きに差し込まれないように小突起状の係止爪部３Ｃを設けてある。
【００２５】
次に、上記した構成によるディスクタンブラー錠１の使用、動作について説明する。
先ず、内筒１３の鍵穴３Ｂから各ディスクタンブラー６Ａ、６Ｂ、６Ｃ…の各鍵穴１４へ親鍵Ｑ１を、一方の探り溝１３の切欠き１３ａ、１３ａ側が段差部１８に面すると共に、他方の探り溝１３ａの凹溝１３ｃ側が突起部１７に面するようにして差し込むと、各切欠き１３ａ、１３ａ底部の凹凸刻み１３ｂが各段差部１８へ先方から後方へ向って順次係合する一方、凹溝１３ｃが各突起部１７へ先方から後方へ向って順次係合する。
【００２６】
そして、このような各係合に応じて内筒３の中空部９内にコイルスプリング１２の弾発力に抗して各ディスクタンブラー６Ａ、６Ｂ、６Ｃ…の各組二枚を別々に収納退避させて当該各ディスクタンブラー６Ａ、６Ｂ、６Ｃ…と外筒２の溝７との係合を解除させ、外筒２に対して内筒３および回転レバー８が回転可能となって解錠もしくは施錠が行われる。
【００２７】
一方、回転レバー８による施錠後には鍵穴１４からの親鍵Ｑ１の引き抜きが可能となる。このとき、鍵穴１４から引き抜かれた親鍵Ｑ１の探り溝１３の各部位と、鍵穴１４の突起部１７、段差部１８それぞれとの係合解除に応じて内筒３の中空部９内から外筒２の溝７内へ、コイルスプリング１２の弾発力に任せて各ディスクタンブラー６Ａ、６Ｂ、６Ｃ…の各組二枚が別々に進出して当該各ディスクタンブラー６Ａ、６Ｂ、６Ｃ…と外筒２の溝７とが係合し、外筒２に対して内筒３および回転レバー８が廻らずに解錠できない状態となる。
【００２８】
次に、子鍵Ｑ２を、一方の探り溝２３の凹溝２３ａ側が各鍵穴１４の突起部１７に面すると共に、他方の探り溝２３の切欠き２３ｃ、２３ｃが段差部１８に面するようにして差し込むと、凹溝２３ａ両側の凹凸刻み２３ｂ、２３ｂが各突起部１７へ先方から後方へ向って順次係合する一方、各切欠き２３ｃ、２３ｃ底部の平滑面２３ｄ、２３ｄが各段差部１８へ先方から後方へ向って順次係合する。
【００２９】
そして、このような各係合に応じて各ディスクタンブラー６Ａ、６Ｂ、６Ｃ…と外筒２の溝７との係合を解除させ、外筒に対して内筒３および回転レバー８が回転可能となって解錠もしくは施錠が行われることは既述親鍵Ｑ１の場合と同様である。
【００３０】
尚、既述したように、前記した親鍵Ｑ１における探り溝１３と子鍵Ｑ２における探り溝２３とをそれぞれ反対側に入れ換えてもよい。また、各探り溝１３、２３の形状が図示例に限定されるものでないことも勿論である。
【００３１】
さらに、図２に示す実施形態では、ディスクタンブラー６Ａ、６Ｂ、６Ｃ…を合計１０枚使用しているため、図７および図８に示す親鍵Ｑ１と子鍵Ｑ２それぞれの探り溝１３を３個とすると、子鍵変換数は３の１０乗＝５９，０４９、親鍵変換数は２の１０乗＝１，０２４となる。ディスクタンブラー６Ａ、６Ｂ、６Ｃ…を合計１４枚使用すると、子鍵変換数は３の１４乗＝４，７８２，９６９、親鍵変換数は２の１４乗１６，３８４となる。
【図面の簡単な説明】
【００３２】
【図１】本発明を実施するための最良の形態におけるカムロック式のディスクタンブラー錠の使用状態を示すものであり、（ａ）は側面図、（ｂ）は正面図、（ｃ）は背面図である。
【図２】同じくカムロック式のディスクタンブラー錠を示すものであり、（ａ）は親鍵使用の場合の分解斜視図、（ｂ）は子鍵使用の場合の分解斜視図である。
【図３】同じく内筒の一例を示すもので、（ａ）は側面図、（ｂ）は（ａ）中のＡ−Ａ断面図、（ｃ）は（ｂ）中のＢ−Ｂ断面図、（ｄ）は（ｂ）中のＣ−Ｃ断面図、（ｅ）は（ｂ）中のＤ−Ｄ断面図、（ｆ）は（ｂ）中のＥ−Ｅ断面図である。
【図４】（ａ）乃至（ｂ）はディスクタンブラーの構成の一例を示すものである。
【図５】外筒の一例を示すもので、（ａ）は縦断面図、（ｂ）は（ａ）中のＡ−Ａ断面図である。
【図６】同じく二枚一組のディスクタンブラーの相互の移動状態を示すもので、（ａ）は内筒側退避前のディスクタンブラー相互の正面図、（ｂ）は内筒側退避後のディスクタンブラー相互の正面図である。
【図７】同じく親鍵の一例を示すもので、（ａ）は一側面側の平面図、（ｂ）は他側面側の平面図である。
【図８】同じく子鍵の一例を示すもので、（ａ）は一側面側の平面図、（ｂ）は他側面側の平面図である。
【符号の説明】
【００３３】
Ｐ                開閉扉
Ｑ１              親鍵
Ｑ２              子鍵
１                ディスクタンブラー錠
２                外筒
３                内筒
３Ａ              拡径部
３Ｂ              内筒側鍵穴
３Ｃ              係止爪部
４                プッシュストッパー
５                取付枠部材
６Ａ、６Ｂ、６Ｃ  ディスクタンブラー
７                溝
８                回転レバー
９                中空部
１１Ａ、１１Ｂ    凸部
１２              コイルスプリング
１３              探り溝
１３ａ            切欠き
１３ｂ            凹凸刻み
１３ｃ            凹溝
１３ｄ            突壁
１４              鍵穴
１５              係止ロッド
１６              係合切欠部
１７              突起部
１８              段差部
２３              探り溝
２３ａ            凹溝
２３ｂ            凹凸刻み
２３ｃ            切欠き
２３ｄ            平滑面
【図１】
2006112036.tif 000003
【図２】
2006112036.tif 000004
【図３】
2006112036.tif 000005
【図４】
2006112036.tif 000006
【図５】
2006112036.tif 000007
【図６】
2006112036.tif 000008
【図７】
2006112036.tif 000009
【図８】
2006112036.tif 000010